(57)【特許請求の範囲】
【請求項１】
搬送コンベア上を流れてくる検査対象製品に電源を供給する電源供給装置において、
回転軸に支持されて回転可能に設けられた回転部、及びこの回転部に設けられた複数の電源取り出し部を備え、装置外部から電源を取り込む電源入力手段と、
前記複数の電源取り出し部にそれぞれ電源コードを介して接続された複数のコンセントボックス、及びこのコンセントボックスを前記検査対象製品と共動して移動させるための連係部材とを備え、前記電源入力手段から供給される電源を受ける電源出力手段と、
前記複数のコンセントボックスを循環させる循環手段と、
前記回転部の回転動作と前記循環手段によるコンセントボックスの循環動作とを連動させて制御する制御手段とを備えたことを特徴とする電源供給装置。
【請求項２】
搬送コンベア上を流れてくる検査対象製品に電源を供給する電源供給装置において、
回転軸に支持されて回転可能に設けられた回転部、及びこの回転部に設けられた複数の電源取り出し部を備え、装置外部から電源を取り込む電源入力手段と、
前記複数の電源取り出し部にそれぞれ電源コードを介して接続された複数のコンセントボックス、及びこのコンセントボックスを前記検査対象製品と共動して移動させるために、前記コンセントボックスに対して出退可能に設けられた連係杆とを備え、前記電源入力手段から供給される電源を受ける電源出力手段と、
前記複数のコンセントボックスを循環させる循環手段と、
前記回転部の回転動作と前記循環手段によるコンセントボックスの循環動作とを連動させて制御する制御手段とを備えたことを特徴とする電源供給装置。
【請求項３】
前記循環手段は、前記搬送コンベアに並行に配置されて前記コンセントボックスを移送する上段移送コンベアと、前記検査対象製品に電源の供給を開始する前記上段移送コンベアの上流側、及び前記検査対象製品への電源の供給を停止する前記上段移送コンベアの下流側にそれぞれ設けられた昇降機構部と、前記コンセントボックスを上段移送コンベア下流側から上段移送コンベア上流側へ移送する下段移送コンベアを有する移送機構部とからなり、
前記上段移送コンベア上を下流側まで移送されたコンセントボックスは、上段移送コンベア下流側の昇降機構部によって降下された後、前記移送機構部によって上段移送コンベアの上流側まで移送され、上段移送コンベア上流側の昇降機構部によって再び上昇されて、上段移送コンベア上に再度投入されることを特徴とする請求項１または請求項２に記載の電源供給装置。
【請求項４】
前記制御手段は、前記循環手段によってコンセントボックスが一巡するのに伴って、前記回転部を同方向に１回転させることを特徴とする請求項１ないし請求項３のいずれかに記載の電源供給装置。
【発明の詳細な説明】
【０００１】
【発明の属する技術分野】
本発明は、製品の一連の組立工程の中で、電源を必要とする検査を行う場合に用いられる電源供給装置に関する。
【０００２】
【従来の技術】
従来、製品の電気検査をコンベア上で行う場合、図１０（ａ）に示すように、検査作業用の机９２をコンベア９１の横に配置するか、若しくは同図（ｂ）に示すように、作業台９３をコンベア９１の上部に固定的に配置して、そこに製品１０１を移して固定させた状態で、製品１０１の電源プラグ１０２を、近傍に配置された図示しない電源コンセントに接続して電気検査を行い、検査終了後に電源プラグ１０２を電源コンセントから抜いて再びコンベア９１に戻すといった方法がある。
【０００３】
また、図１１（ａ），（ｂ）に示すように、下面側に電源接続端子９６ａを有するパレット９６に製品１０１を載置した状態で搬送コンベア９７上を搬送するように製造ラインを構成し、その搬送コンベア９７の途中に、電源供給ライン９５ａを有するセルコンベア９５を配置する。そして、このセルコンベア９５上にパレット９６がきて停止すると、電源接続端子９６ａが電源供給ライン９５ａに接触して電源供給可能となるので、この状態でパレット９６の近傍に設けられた図示しない電源コンセントに製品１０１の電源プラグ１０２を差し込んで電気検査を行い、検査終了後に電源プラグ１０２を電源コンセントから抜くといった方法もある。
【０００４】
さらに、図１２に示すように、搬送コンベア９８の途中にボールコンベア９９を配置し、このボールコンベア９９上に製品１０１がきて停止すると、ボールコンベア９９の近傍に設けられた図示しない電源コンセントに製品１０１の電源プラグ１０２を差し込んで電気検査を行い、検査終了後に電源プラグ１０２を電源コンセントから抜くといった方法もある。
【０００５】
【発明が解決しようとする課題】
上記いずれの検査方法も、電気検査を行う際に、それぞれ固定された電源コンセントに電源プラグを差し込んで電源を供給しているため、電気検査は自ずと製品を固定した状態で行うことになる。そのため、検査に時間がかかるといった問題があった。また、複数の検査員によって複数の検査が行われる場合に、その検査員ごとに製品の電源オン、オフ及び電源プラグの抜き差しといった動作が発生するため、ロスの多い検査作業となっていた。
【０００６】
本発明は係る問題点を解決すべく創案されたもので、その目的は、搬送コンベア上で製品を停止させるための特別な設備を必要とせず、しかも工程をストップさせることなく連続作業を可能にするとともに、各検査作業員が電源を途中で切ることなく連続して検査を行うことのできる電源供給装置を提供することにある。
【０００７】
【課題を解決するための手段】
本発明の電源供給装置は、搬送コンベア上を流れてくる検査対象製品に電源を供給する電源供給装置において、装置外部から電源を取り込む電源入力手段と、この電源入力手段から供給される電源を受ける電源出力手段とからなり、前記電源入力手段は、回転軸に支持されて回転可能に設けられた回転部と、この回転部に設けられた複数の電源取り出し部とを備え、前記電源出力手段は、前記複数の電源取り出し部にそれぞれ電源コードを介して接続された複数のコンセントボックスと、このコンセントボックスを前記検査対象製品と共動して移動させるための連係部材とを備えたことを特徴とする。
【０００８】
このような特徴を有する本発明によれば、検査工程内をコンセントボックスが検査対象製品と共動して移動するため、検査工程の最初のところで製品の電源プラグをコンセントボックスに差し込んでおけば、その検査工程の最後まで、製品の電源プラグをコンセントボックスから抜くことなく、連続して電気検査を行うことができる。そのため、この検査工程で検査作業員が替わったとしても、検査作業員は製品の電源をオン、オフしたり、電源プラグをコンセントボックスから抜き差しするといった作業が不要となるため、検査時間を短縮することが可能となる。また、検査工程内をコンセントボックスが検査対象製品と共動して移動するため、コンベアを停止せずに電気検査を行うことができる。
【０００９】
この場合、前記連係部材を、前記コンセントボックスに対して出退可能に設けられた連係杆で構成しておけばよい。このように構成すると、検査工程で最初の検査を行う検査作業員が、この連係杆をコンセントボックスから前面側に引き出して製品の搬送方向前側の側面部に係止させる。これにより、コンセントボックスが製品の搬送（移動）に追随して移動することになる。つまり、駆動手段が無くても、コンセントボックスを上段移送コンベア上の上流側から下流側に移送することが可能な構成となっている。
【００１０】
また、本発明の電源供給装置は、前記複数のコンセントボックスを循環させる循環手段と、前記回転部の回転動作と前記循環手段によるコンセントボックスの循環動作とを連動させて制御する制御手段とをさらに備えたことを特徴とする。また、前記循環手段は、前記搬送コンベアに並行に配置されて前記コンセントボックスを移送する上段移送コンベアと、前記検査対象製品に電源の供給を開始する前記上段移送コンベアの上流側、及び前記検査対象製品への電源の供給を停止する前記上段移送コンベアの下流側にそれぞれ設けられた昇降機構部と、前記コンセントボックスを上段移送コンベア下流側から上段移送コンベア上流側へ移送する下段移送コンベアを有する移送機構部とで構成されている。
【００１１】
この循環手段によれば、製品の搬送（移動）に共動して、上段移送コンベア上を下流側まで移送されたコンセントボックスは、上段移送コンベア下流側の昇降機構部によって降下された後、移送機構部によって上段移送コンベアの上流側まで移送され、上段移送コンベア上流側の昇降機構部によって再び上昇されて、上段移送コンベア上に再度投入されることになる。
【００１２】
この場合、移送機構部は、ボールコンベアやロールコンベア等からなる下段移送コンベアと、その下段移送コンベアに沿って配置された無端の移送ベルトと、この移送ベルトに所定の間隔を存して設けられた係止爪と、前記移送ベルトを駆動する駆動部とで構成することができる。そして、昇降機構部によって降下されたコンセントボックスの連係杆を、コンセントボックスから後面側に押し出すことにより、押し出された連係杆の先端部が移送ベルトに設けられた係止爪に係止され、この係止爪の移動によりコンセントボックスが下段移送コンベアを上流側まで移送されることになる。つまり、連係杆をうまく利用することで、下段移送コンベア自体を駆動しなくても、下段移送コンベアに沿って配置された無端の移送ベルトを駆動するだけで、コンセントボックスを最初の位置に戻すことが可能な構成となっている。
【００１３】
また、制御手段は、循環手段によってコンセントボックスが一巡するのに伴って、回転部を同方向に１回転させるように制御を行う。これにより、電源入力手段側に設けられた複数の電源取り出し部と、電源出力手段側に設けられた複数のコンセントボックスとをそれぞれ接続している２次側電源コードが互いに絡み合うことを防止することができる。
【００１４】
【発明の実施の形態】
以下、本発明の実施の形態について、図面を参照して説明する。
【００１５】
図１は、本発明の電源供給装置の平面図、図２は同正面図、図３は同側面図である。
【００１６】
本実施の形態の電源供給装置は、大別すると、装置外部から１次側電源コード１１を介して電源を取り込む電源入力部１と、この電源入力部１から供給される電源を受ける電源出力部２と、後述するコンセントボックス２２を循環させる循環部３とからなる。
【００１７】
図４（ａ），（ｂ）は、電源入力部１を拡大して示す正面図及び側面図である。
【００１８】
電源入力部１は、土台となる固定部１２と、この固定部１２に回転軸１３によって回転可能に支持された円盤形状の回転部１４と、この回転部１４を回転駆動する駆動部１５とを備えている。
【００１９】
回転部１４には、その前面側１４ａに、回転軸１３を中心として同心円状に配置された複数の電源取り出し部１６，１６・・・が設けられている。この電源取り出し部１６は、本実施の形態では１次側コンセントとなっており、各１次側コンセント１６のプラス側及びマイナス側の電極端子１６ａ，１６ｂが、後面側１４ｂに突出して設けられている。
【００２０】
一方、回転部１４の後面側１４ｂに対向する固定部１２の前面側１２ａには、１次側電源コード１１の各端子に電気的に接続された環状のプラス側電極部１７ａ及びマイナス側電極部１７ｂが、回転軸１３を中心として同心円状に配置されており、前記１次側コンセント１６の各電極端子１６ａ，１６ｂが、対応する各電極部１７ａ，１７ｂに常に接触するように設けられている。
【００２１】
これにより、回転部１４が回転しても、各１次側コンセント１６の各電極端子１６ａ，１６ｂが、固定部１２の対応する各電極部１７ａ，１７ｂに常に接触した状態で回転するので、各１次側コンセント１６には、１次側電源コード１１を介して常に電源が供給されることになる。
【００２２】
また、駆動部１５は、回転部１４の周側面に圧接する回転ローラ１５ａと、この回転ローラ１５ａを回転駆動する駆動モータ１５ｂとからなり、駆動モータ１５ｂは、コンピュータを構成要素とする制御部４１（図６参照）によって駆動制御されるようになっている。この駆動制御については、電源供給装置の動作のところで詳述する。
【００２３】
電源出力部２は、各電源取り出し部１６，１６・・・にそれぞれ２次側電源コード２１，２１・・・を介して接続された複数のコンセントボックス２２，２２・・・からなる。
【００２４】
図５は、コンセントボックス２２の構成を示している。
【００２５】
コンセントボックス２２には、後述する検査対象製品Ｐと共動して移動させるための連係杆２３が設けられている。この連係杆２３は、コンセントボックス２２の前面側２２ａと後面側２２ｂとに出退可能に設けられており、図５（ａ）に示すように前面側２２ａに突出させたときには、図１中に示すように、後述する搬送コンベア５１上を流れてきた検査対象製品Ｐの搬送方向（図１中、矢符Ｘにより示す）の前側の側面部Ｐ１に係止（当接）するようになっている。一方、図５（ｂ）に示すように連係杆２３をコンセントボックス２２の後面側２２ｂに突出させたときには、図１に示すように、後述する移送ベルト３５の係止爪３６に係止（当接）するようになっている。
【００２６】
循環部３は、図２及び図３に示すように、搬送コンベア５１に並行に配置されてコンセントボックス２２を移送（図２中、白抜き矢符Ａ，Ｂの動作）する上段移送コンベア３１と、検査対象製品Ｐに電源の供給を開始する上段移送コンベア３１の上流側３１ａ、及び検査対象製品Ｐへの電源の供給を停止する上段移送コンベア３１の下流側３１ｂにそれぞれ設けられた昇降機構部３２と、コンセントボックス２２を下流側３１ｂから上流側３１ａへ移送（図２中、白抜き矢符Ｄ，Ｅの動作）する移送機構部３３とで構成されている。
【００２７】
移送機構部３３は、ボールコンベアやロールコンベア等からなる下段移送コンベア３４と、その下段移送コンベア３４に沿って配置された無端の移送ベルト３５と、この移送ベルト３５に所定の間隔を存して設けられた係止爪３６，３６・・・と、移送ベルト３５を掛け渡している一方のギヤ３５ａを駆動する駆動モータ３５ｂとで構成されている。なお、移送ベルト３５は、下段移送コンベア３４よりも横方向に長く設けられており、上流側３１ａ及び下流側３１ｂに配置された各昇降機構部３２，３２の後述する筐体３２ａ，３２ａ内を係止爪３６が通過するように配置されている。また、上段移送コンベア３１も、下段移送コンベア３４と同様、ボールコンベアやロールコンベア等で構成されている。ただし、上段移送コンベア３１には、駆動手段は設けられていない。
【００２８】
昇降機構部３２は、コンセントボックス２２を収納する筐体３２ａを備えている。この筐体３２ａ内には、コンセントボックス２２を載置する受け台３２ｂが昇降動作可能に設けられており、この受け台３２ｂを昇降動作させるシリンダ（例えば、エアー式シリンダ）３２ｃが、筐体３２ａの下部に配置されている。
【００２９】
また、下流側３１ｂに配置されている昇降機構部３２の筐体３２ａには、図６に示すように、上部内側面に、コンセントボックス２２が上段移送コンベア３１から受け台３２ｂに受け渡されたことを検出するボックス検出センサ３２ｄが設けられており、底面に、受け台３２ｂが筐体３２ａ内の下部まで降下したことを検出する降下検出センサ３２ｅが設けられている。また、上流側３１ａに配置されている昇降機構部３２の筐体３２ａには、下部内側面に、コンセントボックス２２が下段移送コンベア３４から受け台３２ｂに受け渡されたことを検出するボックス検出センサ３２ｄが設けられており、天面に、受け台３２ｂに載置されたコンセントボックス２２が筐体３２ａ内の上部まで上昇したことを検出する上昇検出センサ３２ｆが設けられている。
【００３０】
図６は、上記構成の電源供給装置の電気系統図を示している。
【００３１】
各昇降機構部３２に設けられた各種センサ３２ｄ〜３２ｆの出力は、制御部４１に導かれている。制御部４１は、これらセンサ３２ｄ〜３２ｆからの検出信号に基づいて、昇降機構部３２及び移送機構部３３の動作を制御する。
【００３２】
すなわち、下流側３１ｂに配置されている昇降機構部３２の受け台３２ｂに検査対象製品Ｐが載置されると、ボックス検出センサ３２ｄがオンとなるので、このオン信号を受け取った制御部４１は、シリンダ３２ｃを駆動して、受け台３２ｂを降下させる。そして、受け台３２ｂが筐体３２ａ内を下部まで降下すると、受け台３２ｂによって降下検出センサ３２ｅがオンとなるので、このオン信号を受け取った制御部４１は、シリンダ３２ｃの駆動を停止するとともに、駆動モータ３５ｂを駆動して移送ベルト３５を駆動する（図６中に、移送ベルト３５の移動方向を矢符Ｙにより示す）。
【００３３】
これにより、受け台３２ｂに載置されているコンセントボックス２２の連係杆２３に、移送ベルト３５に設けられた任意の係止爪３６が係止し、移送ベルト３５の移送に伴ってコンセントボックス２２が受け台３２ｂから下段移送コンベア３４に移動する。ただし、この場合には、受け台３２ｂも、ボールコンベアやロールコンベア等で形成しておく必要がある。また、受け台３２ｂからコンセントボックス２２が移動すると、制御部４１は、再びシリンダ３２ｃを駆動して、受け台３２ｂを上昇させておく。
【００３４】
同様に、上流側３１ａに配置されている昇降機構部３２の受け台３２ｂに検査対象製品Ｐが載置されると、ボックス検出センサ３２ｄがオンとなるので、このオン信号を受け取った制御部４１は、移送ベルト３５を停止するとともに、シリンダ３２ｃを駆動して、受け台３２ｂを上昇させる。そして、受け台３２ｂが筐体３２ａ内を上部まで上昇すると、検査対象製品Ｐによって上昇検出センサ３２ｆがオンとなるので、このオン信号を受け取った制御部４１は、シリンダ３２ｃの駆動を停止する。そして、コンセントボックス２２が受け台３２ｂから上段移送コンベア３１に移動されると、再びシリンダ３２ｃを駆動して、受け台３２ｂを降下させておく。なお、本実施の形態では、この受け台３２ｂから上段移送コンベア３１に移動させる手段については何も設けられていない。従って、コンセントボックス２２を受け台３２ｂから上段移送コンベア３１の上流側３１ａに移動させる作業は、基本的に検査作業員が行うことになる。ただし、筐体３２ａの側面に、コンセントボックス２２を上段移送コンベア３１の上流側３１ａに押し出す押出機構（例えば、押出板とエアー式シリンダとで構成できる）を設けておけば、検査作業員がわざわざ手でコンセントボックス２２を押し出さなくても、コンセントボックス２２を自動的に押し出すことができる。
【００３５】
また、制御部４１は、これらセンサ３２ｄ〜３２ｆからの検出信号に基づいて、駆動モータ１５ｂを制御し、回転部１４の回転動作を制御する。
【００３６】
例えば、コンセントボックス２２が、最初のセッティング位置である上段移送コンベア３１の上流側３１ａから、上段移送コンベア３１上を下流側３１ｂに移送され、下流側の昇降機構部３２の受け台３２ｂに載置されてボックス検出センサ３２ｄがオンすると、回転部１４を図６中矢符Ｚ方向に９０度回転（１／４回転）させ、次に受け台３２ｂが降下して降下検出センサ３２ｅがオンすると、回転部１４をさらに同方向に９０度回転（１／４回転）させ、次にコンセントボックス２２が下段移送コンベア４３を上流側３１ａまで移送され、上流側３１ａの昇降機構部３２の受け台３２ｂに載置されてボックス検出センサ３２ｄがオンすると、回転部１４をさらに同方向に９０度回転（１／４回転）させ、次に受け台３２ｂが上昇して上昇検出センサ３２ｆがオンすると、回転部１４をさらに同方向に９０度回転（１／４回転）させる。これにより、コンセントボックス２２が上段移送コンベア３１と下段移送コンベア３４とを１巡したときに、これに対応する１次側コンセント１６も回転軸１３を中心に１回転することになる。
【００３７】
次に、上記構成の電源供給装置が工場の生産ライン（搬送コンベア）の検査工程に設置されて用いられている場合の動作について説明する。
【００３８】
搬送コンベア５１の途中に設けられた検査工程５２（図１参照）まで検査対象製品（以下、単に製品という）Ｐが搬送されてくると、最初の検査を行う検査作業員が、並設されている電源供給装置の上段移送コンベア３１の上流側３１ａ（セッティング位置）に投入されているコンセントボックス２２から、連係杆２３を前面側２２ａに引き出して製品Ｐの搬送方向前側の側面部Ｐ１に係止させる。これにより、コンセントボックス２２が製品Ｐの搬送（移動）に追随して移動（図１中に矢符Ｘで示す方向に移動）することになる。つまり、駆動手段が無くても、コンセントボックス２２を上段移送コンベア３１上の上流側３１ａから下流側３１ｂに移送することができる（図２中、白抜き矢符Ａ，Ｂの動作）。
【００３９】
これにより、検査工程５２内をコンセントボックス２２が製品Ｐと共動して移動するため、検査工程５２の最初のところで製品Ｐの電源プラグ６１をコンセントボックス２２の電源コンセント２２ｃに差し込んでおけば、その検査工程５２の最後まで、製品Ｐの電源プラグ６１をコンセントボックス２２から抜くことなく、連続して電気検査を行うことができる。そのため、この検査工程５２で検査作業員が替わったとしても、検査作業員は製品Ｐの電源をオン、オフしたり、電源プラグ６１をコンセントボックス２２から抜き差しするといった作業が不要となるため、検査時間を短縮することが可能となる。また、検査工程５２内をコンセントボックス２２が製品Ｐと共動して移動するため、搬送コンベア５１を停止せずに電気検査を行うことができる。
【００４０】
そして、製品Ｐの搬送（移動）に共動して、コンセントボックス２２が上段移送コンベア３１上を下流側３１ｂまで移送され、検査が終了すると、検査作業員は連係杆２３を押し込んで、連係杆２３をコンセントボックス２２の後面側２２ｂに突出させる。コンセントボックス２２は、この状態で、下流側３１ｂの昇降機構部３２によって降下され、下段移送コンベア３４上に載置される（図２中、白抜き矢符Ｃ，Ｄの動作）。下段移送コンベア３４上に載置されたコンセントボックス２２は、後面側２２ｂに押し出された連係杆２３の先端部が、移送ベルト３５に設けられた係止爪３６に係止される。移送ベルト３５は、駆動モータ３５ｂによって図２中矢符Ｙ方向に駆動されている。従って、この移送ベルト３５に設けられた係止爪３６の移動により、コンセントボックス２２が下段移送コンベア３４を上流側３１ａまで移送されることになる（図２中、白抜き矢符Ｄ，Ｅの動作）。
【００４１】
つまり、連係杆２３をうまく利用することで、下段移送コンベア３４自体を駆動しなくても、下段移送コンベア３４に沿って配置された無端の移送ベルト３５を駆動するだけで、コンセントボックス２２を上流側３１ａまで移送することができる。
【００４２】
そして、上流側３１ａまで移送されたコンセントボックス２２は、上流側３１ａの昇降機構部３２によって再び上昇されて（図２中、白抜き矢符Ｆの動作）、上段移送コンベア３１上のセッティング位置に再度投入されることになる。
【００４３】
因みに、図７は、このようなコンセントボックス２２の移動経路を、回転部１４に設けられた１次側コンセント１６と対応させて示した図である。
【００４４】
一方、制御部４１は、循環部３によってコンセントボックス２２が一巡するのに伴って、回転部１４を同方向に１回転させるように制御を行う。
【００４５】
これにより、回転部１４に設けられた複数の１次側コンセント１６，１６・・・と、これらに対向する複数のコンセントボックス２２，２２・・・とが、互いにタイミングを合わせながら回転することになるので、これらを接続している２次側電源コード２１，２１・・・も互いに絡み合うことなく、回転することになる。
【００４６】
図８は、上記構成の電源供給装置を用いた電気検査方法の具体例１を示している。
【００４７】
この具体例１では、搬送コンベアの検査工程７０にアキュームローラコンベア７１を使用し、搬送コンベア５１を流れてきた製品Ｐを、セットストッパー７２の位置で停止させて電気検査を行うこととする。つまり、具体例１は、製品Ｐを停止させて電気検査を行う具体例である。
【００４８】
すなわち、検査工程７０で最初の検査を行う検査作業員Ｍ１は、検査工程７０まで製品Ｐが搬送されてくると、検査準備のため、電源供給装置の上段移送コンベア３１の上流側３１ａ（セッティング位置）にセットされているコンセントボックス２２の電源コンセント（図８には示されていない）に製品Ｐの電源プラグ６１を差し込んで製品Ｐに電源を供給し、コンセントボックス２２の連係杆２３を前面側２２ａに引き出して、製品Ｐの搬送方向前側の側面部Ｐ１に係止させる。これにより、コンセントボックス２２が製品Ｐの搬送（移動）に追随して移動し、セットストッパー７２の位置で停止する。
【００４９】
検査作業員Ｍ１は、作業開始のため製品Ｐの電源をオンして運転を開始させ、電気検査を開始する。そして、検査作業を終了すると、アキュームローラコンベア７１のセットストッパー７２を解除する。これにより、製品Ｐ及びコンセントボックス２２は、再び搬送方向Ｘに移動し、次の検査作業員Ｍ２のところまで移動する。
【００５０】
次の検査作業員Ｍ２は、製品Ｐを運転したまま連続して検査作業を続けることができる。
【００５１】
このようにして、検査工程７０における全ての検査作業を終了すると、最後の検査作業員Ｍ２は、製品Ｐの電源をオフして運転を停止した後、電源プラグ６１をコンセントボックス２２の電源コンセントから抜き取り、連係杆２３をコンセントボックス２２の後面側２２ｂに押し込んで、アキュームローラコンベア７１のセットストッパー７２を解除する。
【００５２】
これにより、製品Ｐは検査工程７０を通過して再び搬送コンベア５１まで移動する。また、最後の検査作業員Ｍ２は、コンセントボックス２２を下流側の昇降機構部３２まで移動させる。この後のコンセントボックス２２の動作は、すでに説明しているので、ここでは説明を省略する。
【００５３】
なお、上記具体例１では、検査工程７０での検査終了後、検査作業員Ｍ２がコンセントボックス２２を昇降機構部３２まで移動させることとして説明しているが、検査終了後のコンセントボックス２２はそのまま放置しておいてもよい。この場合、次の製品Ｐが次のコンセントボックス２２とともに検査作業員Ｍ２のところまで移動してくると、このコンセントボックス２２によって、その位置に放置されていた前のコンセントボックス２２が昇降機構部３２側に押し出され、昇降機構部３２の受け台３２ｂに載置されることになる。
【００５４】
図９は、上記構成の電源供給装置を用いた電気検査方法の具体例２を示している。
【００５５】
この具体例２は、製品Ｐを停止させないで電気検査が可能な具体例であり、製品Ｐを移動させながら搬送コンベア５１上で検査作業を行うものである。
【００５６】
すなわち、検査工程８０で最初の検査を行う検査作業員Ｍ１１は、搬送コンベア５１上を検査工程８０まで製品Ｐが搬送されてくると、検査準備のため、電源供給装置の上段移送コンベア３１の上流側３１ａ（セッティング位置）にセットされているコンセントボックス２２の電源コンセント（図９には示されていない）に製品Ｐの電源プラグ６１を差し込んで製品Ｐに電源を供給し、コンセントボックス２２の連係杆２３を前面側２２ａに引き出して、製品Ｐの搬送方向前側の側面部Ｐ１に係止させる。これにより、コンセントボックス２２が製品Ｐの搬送（移動）に追随して移動する。
【００５７】
検査作業員Ｍ１は、この移動状態において、作業開始のため製品Ｐの電源をオンして運転を開始させ、電気検査を開始する。そして、検査作業を終了すると、製品Ｐ及びコンセントボックス２２は、そのまま次の検査作業員Ｍ１２のところまで移動するので、検査作業員Ｍ１２は、製品Ｐを運転したまま連続して検査作業を続けることができる。
【００５８】
このようにして、検査工程７０における全ての検査作業を終了すると、最後の検査作業員Ｍ１３は、製品Ｐの電源をオフして運転を停止した後、電源プラグ６１をコンセントボックス２２の電源コンセントから抜き取り、連係杆２３をコンセントボックス２２の後面側２２ｂに押し込む。
【００５９】
これにより、製品Ｐは検査工程８０を通過して搬送コンベア５１をさらに下流側に移動していく。また、最後の検査作業員Ｍ１３は、コンセントボックス２２を下流側の昇降機構部３２まで移動させる。この後のコンセントボックス２２の動作は、すでに説明しているので、ここでは説明を省略する。
【００６０】
なお、上記具体例２では、検査工程８０での検査終了後、最後の検査作業員Ｍ１３がコンセントボックス２２を昇降機構部３２まで移動させることとして説明しているが、検査終了後のコンセントボックス２２はそのまま放置しておいてもよい。この場合、次の製品Ｐが次のコンセントボックス２２とともに最後の検査作業員Ｍ１３のところまで移動てくると、このコンセントボックス２２によって、その位置に放置されていた前のコンセントボックス２２が昇降機構部３２側に押し出され、昇降機構部３２の受け台３２ｂに載置されることになる。
【００６１】
【発明の効果】
本発明の電源供給装置によれば、検査工程内をコンセントボックスが検査対象製品と共動して移動するため、検査工程の最初のところで製品の電源プラグをコンセントボックスに差し込んでおけば、その検査工程の最後まで、製品の電源プラグをコンセントボックスから抜くことなく、連続して電気検査を行うことができる。そのため、この検査工程で検査作業員が替わったとしても、検査作業員はその都度、製品の電源をオン、オフしたり、電源プラグをコンセントボックスから抜き差しするといった作業が不要となるため、検査作業の効率化及び検査時間の短縮を図ることができる。また、検査工程内をコンセントボックスが検査対象製品と共動して移動するため、コンベアを停止せずに電気検査を行うことができる。
【００６２】
この場合、連係部材を、コンセントボックスに対して出退可能に設けられた連係杆で構成しておけば、検査工程で最初の検査を行う検査作業員が、この連係杆をコンセントボックスから前面側に引き出して製品の搬送方向前側の側面部に係止させることで、コンセントボックスが製品の搬送（移動）に追随して移動することになる。つまり、駆動手段が無くても、コンセントボックスを上段移送コンベア上の上流側から下流側に移送することができるため、上段移送コンベアを極めて簡単な構成で実現することができる。
【００６３】
また、本発明の電源供給装置によれば、複数のコンセントボックスを循環させる循環手段と、回転部の回転動作と循環手段によるコンセントボックスの循環動作とを連動させて制御する制御手段とをさらに備え、制御手段は、循環手段によってコンセントボックスが一巡するのに伴って、回転部を同方向に１回転させるように制御を行う。これにより、電源入力手段側に設けられた複数の電源取り出し部と、電源出力手段側に設けられた複数のコンセントボックスとをそれぞれ接続している２次側電源コードが互いに絡み合うことなく、コンセントボックスを連続して循環させることができる。
【図面の簡単な説明】
【図１】本発明の電源供給装置の平面図である。
【図２】本発明の電源供給装置の正面図である。
【図３】本発明の電源供給装置の側面図である。
【図４】（ａ）は電源入力部を拡大して示す正面図、（ｂ）は同側面図である。
【図５】（ａ），（ｂ）はコンセントボックスの構成を示す斜視図である。
【図６】本発明の電源供給装置の電気系統を示す説明図である。
【図７】コンセントボックスの移動経路を、回転部に設けられた１次側コンセントと対応させて示した説明図である。
【図８】本発明の電源供給装置を用いた電気検査方法の具体例１を示す説明図である。
【図９】本発明の電源供給装置を用いた電気検査方法の具体例２を示す説明図である。
【図１０】（ａ），（ｂ）は製品の電気検査をコンベア上で行う場合の従来の検査方法の説明図である。
【図１１】製品の電気検査をコンベア上で行う場合の従来の検査方法の説明図である。
【図１２】製品の電気検査をコンベア上で行う場合の従来の検査方法の説明図である。
【符号の説明】
１  電源入力部
２  電源出力部
３  循環部
１１  １次側電源コード
１２  固定部
１３  回転軸
１４  回転部
１５  駆動部
１５ａ  回転ローラ
１５ｂ  駆動モータ
１６  １次側コンセント（電源取り出し部）
１７ａ  プラス側電極部
１７ｂ  マイナス側電極部
２１  ２次側電源コード
２２  コンセントボックス
２２ａ  前面側
２２ｂ  後面側
２２ｃ  電源コンセント
２３  連係杆
３１  上段移送コンベア
３１ａ  上流側
３１ｂ  下流側
３２  昇降機構部
３２ａ  筐体
３２ｂ  受け台
３２ｃ  シリンダ
３２ｄ  ボックス検出センサ
３２ｅ  降下検出センサ
３２ｆ  上昇検出センサ
３３  移送機構部
３４  下段移送コンベア
３５  移送ベルト
３５ａ  ギヤ
３５ｂ  駆動モータ
３６  係止爪
５１  搬送コンベア
５２  検査工程
６１  電源プラグ
７０  検査工程
７１  アキュームローラコンベア
８０  検査工程
Ｐ  製品（検査対象製品）
【図１】
0003868817.tif 000002
【図２】
0003868817.tif 000003
【図３】
0003868817.tif 000004
【図４】
0003868817.tif 000005
【図５】
0003868817.tif 000006
【図６】
0003868817.tif 000007
【図７】
0003868817.tif 000008
【図８】
0003868817.tif 000009
【図９】
0003868817.tif 000010
【図１０】
0003868817.tif 000011
【図１１】
0003868817.tif 000012
【図１２】
0003868817.tif 000013